(57)【特許請求の範囲】
【請求項１】
底壁、該底壁の前後両側からそれぞれ起立する前壁及び後壁、並びに前記前壁及び前記後壁のそれぞれの両端部を相互に連結する１対の側壁を有し、これら底壁、前壁及び後壁、並びに１対の側壁によって第２コネクタ受容キャビティを形成した第１ハウジングを有する第１コネクタと、前記第２コネクタ受容キャビティ内に受容される第２ハウジングを有する第２コネクタとを具備する電気コネクタ組立体であって、前記第１ハウジングに、後側が前記第２コネクタ受容キャビティに向かって開口し、前側部分が前記前壁に連結するキー凹部を前記第２コネクタの嵌合方向に沿って設けると共に、該嵌合方向に進行するに従って外方へ向けて傾斜する第１傾斜面を設け、前記第２ハウジングに、前記キー凹部に嵌入されると共に、前記第１傾斜面と相補的な形状の第２傾斜面を有するキー部材を設けた電気コネクタ組立体において、
前記キー凹部は、前記第１ハウジングの前記前壁の両端にそれぞれ設けられ、
前記第１傾斜面は、前記第１ハウジングの前記前壁の嵌合端であって、１対の前記キー凹部間を連続的に設けられ、
前記キー部材は、前記第２ハウジングの１対の側壁に前記１対のキー凹部に対応して１対設けられていることを特徴とする電気コネクタ組立体。
【請求項２】
底壁、該底壁の前後両側からそれぞれ起立する前壁及び後壁、並びに前記前壁及び前記後壁のそれぞれの両端部を相互に連結する１対の側壁を有し、これら底壁、前壁及び後壁、並びに１対の側壁によって相手コネクタ受容キャビティを形成したハウジングを有する電気コネクタであって、前記ハウジングに、後側が前記相手コネクタ受容キャビティに向かって開口し、前側部分が前記前壁に連結するキー凹部を相手コネクタの嵌合方向に沿って設けると共に、該嵌合方向に進行するに従って外方へ向けて傾斜する傾斜面を設けた電気コネクタにおいて、
前記キー凹部は、前記ハウジングの前記前壁の両端にそれぞれ設けられ、
前記傾斜面は、前記ハウジングの前記前壁の嵌合端であって、１対の前記キー凹部間を連続的に設けられていることを特徴とする電気コネクタ。
【発明の詳細な説明】
【０００１】
【発明の属する技術分野】
本発明は、プリント回路基板に接続された第１コネクタと複数の電線に接続された第２コネクタとを嵌合、ロックしてプリント回路基板と電線とを電気的に相互接続する電気コネクタ組立体及びそれに使用される電気コネクタに関するものである。
【０００２】
【従来の技術】
従来この種の電気コネクタ組立体として、例えば、図９に示すものが知られている（米国特許第４，３７６，５６５号公報参照）。
この電気コネクタ組立体１００は、複数の電線１１６に接続された第１コンタクト（図示せず）を第１ハウジング１１１に設けた第１コネクタ１１０と、第１コネクタ１１０を受容する第２ハウジング１２１及び第１コンタクトに接触すると共に回路基板１２８の導電トレース１２７に接続される第２コンタクト（図示せず）を有する第２コネクタ１２０とからなっている。
そして、第１コネクタ１１０を第２コネクタ１２０に適切に嵌合するために、第１コネクタ１１０の第１ハウジング１１１の上壁には、前端から後方向に向けて形成された溝１１３を有する複数のリブ１１２が突出形成されると共に、前記溝１１３内にキー部材１１４が挿入固定されている。一方、第２コネクタ１２０の第２ハウジング１２１の上壁には、第１コネクタ１１０のリブ１１２が嵌入される複数の凹部１２２が形成されると共に、これら凹部１２２の上壁には第１コネクタ１１０のキー部材１１４が嵌入されるスロット１２４が選択的に形成されている。スロット１２４は、凹部１２２の上壁の薄い部分１２５を一点鎖線１２３に沿って取り除いて形成されるものである。
又、第１コネクタ１１０を第２コネクタ１２０にロックするために、第１コネクタ１１０の第１ハウジング１１１の側壁には、第２コネクタ１２０の肩部１２６に係合するラッチアーム１１５が形成されている。
【０００３】
【発明が解決しようとする課題】
ところで、第１コネクタ１１０の極数と第２コネクタ１２０の極数とが異なる場合において、極数の少ない第１コネクタ１１０を第２コネクタ１２０に嵌合すると、第１コネクタ１１０のキー部材１１４が、第２コネクタ１２０のスロット１２４内に嵌入せずに第２ハウジング１２１の上壁端部に当接し、その嵌合が防止できるようになっている。
しかしながら、スロット１２４、１２４間における第２ハウジング１２１の上壁は上下方向に撓み易くなっている。このため、極数の少ない第１コネクタ１１０を第２コネクタ１２０に嵌合すると、第１コネクタ１１０のキー部材１１４が第２コネクタ１２０の第２ハウジング１２１の上壁の下面に沿って第２ハウジング１２１内に入り込み、極数の少ない第１コネクタ１１０の第２コネクタ１２０への嵌合が防止できないという問題点があった。
【０００４】
従って、本発明の目的は、互いに極数の異なる第１コネクタと第２コネクタとの嵌合を確実に防止できる電気コネクタ組立体及びそれに使用される電気コネクタを提供しようとするものである。
【０００５】
【課題を解決するための手段】
本発明に係る電気コネクタ組立体は、底壁、該底壁の前後両側からそれぞれ起立する前壁及び後壁、並びに前記前壁及び前記後壁のそれぞれの両端部を相互に連結する１対の側壁を有し、これら底壁、前壁及び後壁、並びに１対の側壁によって第２コネクタ受容キャビティを形成した第１ハウジングを有する第１コネクタと、前記第２コネクタ受容キャビティ内に受容される第２ハウジングを有する第２コネクタとを具備する電気コネクタ組立体であって、前記第１ハウジングに、後側が前記第２コネクタ受容キャビティに向かって開口し、前側部分が前記前壁に連結するキー凹部を前記第２コネクタの嵌合方向に沿って設けると共に、該嵌合方向に進行するに従って外方へ向けて傾斜する第１傾斜面を設け、前記第２ハウジングに、前記キー凹部に嵌入されると共に、前記第１傾斜面と相補的な形状の第２傾斜面を有するキー部材を設けた電気コネクタ組立体において、前記キー凹部は、前記第１ハウジングの前記前壁の両端にそれぞれ設けられ、前記第１傾斜面は、前記第１ハウジングの前記前壁の嵌合端であって、１対の前記キー凹部間を連続的に設けられ、前記キー部材は、前記第２ハウジングの１対の側壁に前記１対のキー凹部に対応して１対設けられていることを特徴としている。
【０００６】
又、本発明に係る電気コネクタは、底壁、該底壁の前後両側からそれぞれ起立する前壁及び後壁、並びに前記前壁及び前記後壁のそれぞれの両端部を相互に連結する１対の側壁を有し、これら底壁、前壁及び後壁、並びに１対の側壁によって相手コネクタ受容キャビティを形成したハウジングを有する電気コネクタであって、前記ハウジングに、後側が前記相手コネクタ受容キャビティに向かって開口し、前側部分が前記前壁に連結するキー凹部を相手コネクタの嵌合方向に沿って設けると共に、該嵌合方向に進行するに従って外方へ向けて傾斜する傾斜面を設けた電気コネクタにおいて、前記キー凹部は、前記ハウジングの前記前壁の両端にそれぞれ設けられ、前記傾斜面は、前記ハウジングの前記前壁の嵌合端であって、１対の前記キー凹部間を連続的に設けられていることを特徴としている。
【０００８】
【発明の実施の形態】
本発明の実施の形態を図面を参照して説明する。図１は本発明の電気コネクタ組立体を構成する第１及び第２コネクタの嵌合前の斜視図、図２は図１の第１及び第２コネクタの嵌合後の斜視図、図３は極数の異なる第１及び第２コネクタを嵌合しようとする状態の斜視図、図４は図１に示す電気コネクタ組立体に使用される第１コネクタの平面図、図５は図４に示す第１コネクタの左側面図、図６は図４の６−６線に沿った断面図であり、第１コンタクトは図示していない。図７は図１に示す電気コネクタ組立体に使用される第２コネクタの底面図、図８は図７に示す第２コネクタの左側面図である。
【０００９】
これらの図において、電気コネクタ組立体１は、第１コネクタ１０と、第１コネクタ１０に嵌合する第２コネクタ３０とからなり、第１コネクタ１０は、第１ハウジング１１及び第１ハウジング１１の底壁１２（図４及び図６参照）に設けられた複数（本実施形態にあっては５本）の第１コンタクト２１ａ乃至２１ｅを有し、第２コネクタ３０は、第１コネクタ１０の第２コネクタ受容キャビティ１６内に受容される第２ハウジング３１、及び第２ハウジング３１に設けられた、第１コンタクト２１ａ乃至２１ｅに嵌合接続される複数の第２コンタクト４２ａ乃至４２ｅを有している。
【００１０】
第１コネクタ１０を構成する第１ハウジング１１は、樹脂を成形することによって形成されるものであり、図１、図２及び図４乃至図６に示すように、底壁１２、底壁１２の前後両側（図４における下上両側）から起立する前壁１３及び後壁１４、及び底壁１２の左右両側から起立すると共に、前壁１３及び後壁１４のそれぞれの両端部を相互に連結する１対の側壁１５、１５を具備している。これら底壁１２、前壁１３及び後壁１４、及び１対の側壁１５、１５によって第２コネクタ受容キャビティ１６を形成している。使用する樹脂としては、ポリアミド樹脂が好ましい。
【００１１】
１対の側壁１５、１５に隣接する前壁１３の両端には、後側が第２コネクタ受容キャビティ１６に向かって開口し、前側部分１７ａが前壁１３に連結する１対のキー凹部１７、１７が設けられている。又、前壁１３の嵌合端（図１における上端）であって、１対のキー凹部１７、１７の内側には、第２コネクタ３０の嵌合方向に進行するに従って外方へ向けて傾斜する第１傾斜面１９が設けられている。第１傾斜面１９の下端には、１対のストッパ段部１９ａが設けられている。更に、第１ハウジング１１の前壁１３には、１対のキー凹部１７、１７の内側に位置すると共に前壁１３の下縁から上方に向けて形成される１対のロック用スリット１８、１８が形成されている。ロック用スリット１８、１８は、１対なくともよく、少なくとも１つあればよい。又、１対の側壁１５、１５のそれぞれには、第２コネクタ受容キャビティ１６に向けて開口する誤嵌合防止片嵌入溝２０、２０が設けられている。誤嵌合防止片嵌入溝２０、２０は、ハウジング１１の前後方向において中心よりも後側に位置し、第２コネクタ３０が第１コネクタ１０に嵌合する際に、第２コネクタ３０の誤嵌合防止片３８、３８が嵌入し、その逆差しが防止される。なお、第１ハウジング１１の底壁１２には、基板（図示せず）に固定する際の位置決めポスト２２が突出形成されている。
【００１２】
又、第１コネクタ１０を構成する第１コンタクト２１ａ乃至２１ｅは、それぞれ断面角状のポストであり、第１ハウジング１１の底壁１２に第１ハウジング１１の左右方向において一列に並んで圧入固定されている。左から１番目、３番目及び５番目の第１コンタクト２１ａ、２１ｃ、２１ｅは、第１ハウジング１１の外方へ突出する略直線状の基板取付部を有し、左から２番目及び４番目の第１コンタクト２１ｂ、２１ｄは、第１ハウジング１１の外方へ延び、略直角に前方へ曲げられると共に更に曲げられて外方へ延びる基板取付部を有する。
【００１３】
第２コネクタ３０を構成する第２ハウジング３１は、樹脂を成形することによって形成されるものであり、後壁３４、後壁３４の左右両側から立上げられた１対の側壁３３、３３、並びに後壁３４及び１対の側壁３３、３３に連結した底壁３５を有する。使用する樹脂としてはポリアミド樹脂が好ましい。そして、第２ハウジング３１の両側壁３３、３３間には、第１コネクタ１０の第１コンタクト２１ａ乃至２１ｅに対応する複数の第２コンタクト受容キャビティ３２ａ乃至３２ｅが設けられ、この受容キャビティ３２ａ乃至３２ｅの隣接するキャビティ間には仕切壁３７ａ乃至３７ｄが設けられている。又、底壁３５には、第２コンタクト受容キャビティ３２ａ乃至３２ｅのそれぞれに対応する第１コンタクト挿入開口４１ａ乃至４１ｅが形成されている（図７参照）。
【００１４】
又、第２ハウジング３１の両側壁３３、３３の下方（図１における下方）には、第１ハウジング１１のキー凹部１７、１７に嵌入される１対のキー部材３９、３９が突出形成されている。これらキー部材３９、３９のそれぞれの下端には、第１ハウジング１１の第１傾斜面１９と相補的な形状の第２傾斜面３９ａ、３９ａが形成されている。これらキー部材３９、３９は、第２コネクタ３０が第１コネクタ１０に嵌合接続される際に、キー凹部１７、１７内に嵌入され、第１コネクタ１０と第２コネクタ３０との嵌合を適切に行う。図３に示すように、第２コネクタ３０の第２コンタクト４２ａ乃至４２ｅの極数（５本）が第１コネクタ１０’の第１コンタクト２１ａ乃至２１ｆの極数（６本）よりも少なく、キー部材３９、３９間の長さがキー凹部１７、１７間の長さよりも小さい場合には、一方のキー部材３９が一方のキー凹部１７に挿入されるが、他方のキー部材３９はキー凹部１７、１７間の前壁１３の嵌合端に当接し、他方のキー凹部１７に挿入されない。この際に、他方のキー部材３９の第２傾斜面３９ａはハウジング１１の前壁１３の嵌合端に形成された第１傾斜面１９上に乗り上げる。他方のキー部材３９がキー凹部１７、１７間の前壁１３の嵌合端に当接する際において、キー凹部１７、１７は前側部分が前壁１３に連結しているので、キー凹部１７、１７間の前壁１３は、前後方向に撓みにくく、他方のキー部材３９が第２コネクタ受容キャビティ１６内に入り込むことはない。又、この際に、キー部材３９の第２傾斜面３９ａが前壁１３の第１傾斜面１９に乗り上げるのでキー部材３９は第２コネクタ受容キャビティ１６内に確実に入り込まない。反対に、第２コネクタ３０の第２コンタクトの極数が第１コネクタ１０の第１コンタクトの極数よりも多く、キー部材３９、３９間の長さがキー凹部１７、１７間の距離よりも大きい場合には第２ハウジング３１の底壁３５が第１ハウジング１１の側壁１５、１５に当接し、第２コネクタ３０は第１コネクタ１０に嵌合接続されない。
【００１５】
又、第２ハウジング３１の仕切壁３７ａ、３７ｄの下方には、第１ハウジング１１のロック用スリット１８、１８に挿入される１対のロック突起４０ａ、４０ｂが突出形成されている。ロック突起４０ａ、４０ｂがロック用スリット１８、１８に挿入される際には、ロック突起４０ａ、４０ｂの下面に形成された傾斜面が第１ハウジング１１の前壁１３の嵌合端に当接した後に、第１ハウジング１１のキー凹部１７、１７間の前壁１３が前方向に撓んで第１ハウジング１１の前壁１３がロック突起４０ａ、４０ｂの頂部に乗り上げ、その後にロック突起４０ａ、４０ｂがロック用スリット１８、１８に挿入される。この結果、第２ハウジング３１が第１ハウジング１１から上方に引き抜かれるのが防止される。第１ハウジング１１のキー凹部１７、１７間の前壁１３は、キー凹部１７、１７の前側部分が前壁１３に連結されているので、前方向に撓みにくいが、前壁１３に接するロック突起４０ａ、４０ｂの下面が傾斜面として形成されているので、ロック突起４０ａ、４０ｂは第２コネクタ受容キャビティ１６内に入り込みやすい。なお、第２ハウジング３１の後壁３４の両側には、横方向に突出する誤嵌合防止片３８、３８が設けられている。この誤嵌合防止片３８、３８は、第１ハウジング１１の誤嵌合防止片嵌入溝２０、２０に嵌入され、第２コネクタ３０の第１コネクタ１０に対する逆差しが防止される。又、第２ハウジング３１の第２コンタクト受容キャビティ３２ａ乃至３２ｅの後端（図１における上端）には、第２コンタクト４２ａ乃至４２ｅに圧接接続された電線（図示せず）を保持する電線接続部３６ａ乃至３６ｅが設けられている。
【００１６】
第２コネクタ３０を構成する第２コンタクト４２ａ乃至４２ｅのそれぞれは、平板基部（図示せず）の前後両側から立上げられた、電線が圧接される１対の圧接部と、平板基部の左右両側から下方に折り曲げ形成された第１コンタクト２１ａ乃至２１ｅとの接触部とを具備し、第２ハウジング３１の第２コンタクト受容キャビティ３２ａ乃至３２ｅ内に圧入固定される。なお、第１コネクタ１０は、基板に対し略水平方向に挿入される第２コネクタ３０を受容するように構成してもよい。
【００１７】
【発明の効果】
請求項１に係る電気コネクタ組立体によれば、第１コネクタを構成する第１ハウジングの前壁に、後側が第２コネクタ受容キャビティに向かって開口し、前側部分が前記前壁に連結するキー凹部を第２コネクタの嵌合方向に沿って設け、第２コネクタを構成する第２ハウジングに前記キー凹部に嵌入されるキー部材を設けているので、極数が同じ第１コネクタと第２コネクタとを嵌合する場合には、第１コネクタのキー凹部に第２コネクタのキー部材が嵌入されてそれらの嵌合が適切に行え、互いに極数の異なる第１コネクタと第２コネクタとを嵌合する場合、例えば極数の少ない第２コネクタを第１コネクタに嵌合する場合には第２コネクタのキー部材が第１コネクタの前壁のキー凹部以外の嵌合端に当接してその嵌合が行えない。この際に、キー凹部は、前側部分が前壁に連結しているので、前壁のうちキー凹部以外の部分は撓みにくく、異極コネクタ同士の嵌合を確実に防止することができる。又、第１ハウジング前壁の嵌合端には第２コネクタの嵌合方向に進行するに従って外方へ向けて傾斜する第１傾斜面を設け、その一方、第２ハウジングのキー部材は、前記第１傾斜面と相補的な形状の第２傾斜面を有するので、極数の少ない第２コネクタを第１コネクタに嵌合する場合には、第２ハウジングのキー部材の第２傾斜面は第１ハウジングの前壁の第１傾斜面に乗り上げ、キー部材は第１ハウジングの第２コネクタ受容キャビティ内に入り込まず、異極コネクタ同士の嵌合を一層確実に防止することができる。
【００１８】
又、請求項２に係る電気コネクタによれば、ハウジングの前壁に後側が相手コネクタ受容キャビティに向かって開口し、前側部分が前壁に連結するキー凹部を相手コネクタの嵌合方向に沿って設けると共に、前記前壁の嵌合端に、嵌合方向に進行するに従って外方へ向けて傾斜する傾斜面を設けているので、異極コネクタ同士の嵌合を確実に防止できる。
【図面の簡単な説明】
【図１】本発明の電気コネクタ組立体を構成する第１及び第２コネクタの嵌合前の斜視図である。
【図２】図１の第１及び第２コネクタの嵌合後の斜視図である。
【図３】極数の異なる第１及び第２コネクタを嵌合しようとする状態の斜視図である。
【図４】図１に示す電気コネクタ組立体に使用される第１コネクタの平面図である。
【図５】図４に示す第１コネクタの左側面図である。
【図６】図４の６−６線に沿った断面図であり、第１コンタクトは図示していない。
【図７】図１に示す電気コネクタ組立体に使用される第２コネクタの底面図である。
【図８】図７に示す第２コネクタの左側面図である。
【図９】従来の電気コネクタ組立体を構成する第１及び第２コネクタの嵌合前の斜視図である。
【符号の説明】
１          電気コネクタ組立体
１０        第１コネクタ
１１        第１ハウジング
１２        底壁
１３        前壁
１４        後壁
１５        側壁
１６        第２コネクタ受容キャビティ
１７        キー凹部
１９        第１傾斜面
３０        第２コネクタ
３１        第２ハウジング
３９        キー部材
３９ａ      第２傾斜面
【図１】
0003767835.tif 000002
【図２】
0003767835.tif 000003
【図３】
0003767835.tif 000004
【図４】
0003767835.tif 000005
【図５】
0003767835.tif 000006
【図６】
0003767835.tif 000007
【図７】
0003767835.tif 000008
【図８】
0003767835.tif 000009
【図９】
0003767835.tif 000010